(57)【要約】本発明は、ディスク交換構造を備えるゲートバルブに関し、より詳細には、配管に設置されるゲートバルブとして、内部に遮断空間が形成され、前記遮断空間と連通するように一対のフランジ管が形成され、上部には前記遮断空間を閉鎖するようにカバーが締結されたバルブ本体と、前記遮断空間に昇降するように配置され、上面に内部に昇降ナットを有する締結孔が形成されたディスクと、前記カバーに設置されて前記ディスクを昇降させる作動棒とで構成され、前記カバーには貫通するように挿入口が形成され、前記挿入口には前記作動棒が回転するように設置され、前記バルブ本体には前記ディスクを支持、固定させるように固定手段が設けられ、前記ディスクには前記固定手段によって加圧固定されるように両側面または前後面に上部傾斜面と下部傾斜面とが設けられた嵌め込み溝が更に形成されたことを特徴とするディスク交換構造を備えるゲートバルブを提供する。本発明によれば、配管に設置されて対象物の移動を制御するゲートバルブに固定手段を設け、ディスクが前記固定手段によって支持固定されるようにすることで、配管を遮断してディスク及び各種部品を交換することができ、配管を介して対象物が移動するようにゲートバルブを開放した状態でもディスク及び各種部品の交換が可能であるため、交換のために対象物の移動を遮断する別途の装置を設置する必要がないうえに、交換時間が短縮でき、交換費用が削減できるという効果を奏する。【選択図】図２
2019504258.tif 000002
【特許請求の範囲】
【請求項１】
配管に設置されるゲートバルブにおいて、
内部に遮断空間が形成され、前記遮断空間と連通するように一対のフランジ管が形成され、上部には前記遮断空間を閉鎖するようにカバーが締結されたバルブ本体と、
前記遮断空間に昇降するように配置され、上面に内部に昇降ナットを有する締結孔が形成されたディスクと、
前記カバーに設置されて前記ディスクを昇降させる作動棒とで構成され、
前記カバーには貫通するように挿入口が形成され、前記挿入口には前記作動棒が回転するように設置され、
前記バルブ本体には前記ディスクを支持、固定させるように固定手段が設けられ、
前記ディスクには前記固定手段によって加圧固定されるように両側面または前後面に上部傾斜面と下部傾斜面とが設けられた嵌め込み溝が更に形成されたことを特徴とするディスク交換構造を備えるゲートバルブ。
【請求項２】
前記ディスクには前記固定手段によって加圧固定されるように上部両側に支持傾斜面が更に形成されたことを特徴とする請求項１に記載のディスク交換構造を備えるゲートバルブ。
【請求項３】
前記遮断空間の上側には内側に突出するように段差部が更に形成され、
前記ディスクの上部には前記段差部を加圧して前記遮断空間の気密性を維持させる気密突部が更に形成されたことを特徴とする請求項１に記載のディスク交換構造を備えるゲートバルブ。
【請求項４】
前記昇降ナットは前記締結孔の上部に配置され、前記昇降ナットにねじ締結される前記作動棒の正転によって前記ディスクが上方に移動しつつ、前記フランジ管を開放すると同時に前記作動棒は前記締結孔の下部に引き込み、前記作動棒が逆転すると、前記フランジ管を閉鎖しつつ前記ディスクが下方に移動するようになることを特徴とする請求項１に記載のディスク交換構造を備えるゲートバルブ。
【請求項５】
前記固定手段は前記バルブ本体に斜線方向ないし水平方向に形成され、前記遮断空間と連通するように形成される一対の締結口と、前記締結口に嵌め込み固定され、内周縁にねじ部の形成された固定管と、前記固定管にねじ締結して回転によって前記ディスクを加圧する加圧棒からなることを特徴とする請求項１に記載のディスク交換構造を備えるゲートバルブ。
【発明の詳細な説明】
【技術分野】
【０００１】
本発明は、ディスク交換構造を備えるゲートバルブに関し、より詳細には、配管に設置されて対象物の移動を制御するゲートバルブに固定手段を設け、ディスクが前記固定手段によって支持固定されるようにすることで、配管を遮断してディスク及び各種部品を交換することができ、配管を介して対象物が移動するようにゲートバルブを開放した状態でもディスク及び各種部品の交換が可能であるため、交換のために対象物の移動を遮断する別途の装置を設置する必要がないうえに、交換時間が短縮でき、交換費用が削減できるディスク交換構造を備えるゲートバルブに関する。
【背景技術】
【０００２】
通常、ゲートバルブは配管内の流体の流れを制御するために使用される開閉装置として、ゲートバルブの内部のディスクとバルブの胴体とが相互密着して気密性に優れるほど流体の流れを制御することができるようになる。
【０００３】
このように、ゲートバルブの性能は、ディスクの構造によって大きく差が生じ、特に、ゲートバルブの気密性を向上させるためにはディスクとバルブ胴体との密着状態が極めて密になるべきであり、それによって流体の流れを制御することができるようになるのである。
【０００４】
よって、上記のバルブシートとバルブ胴体との間には、摩擦が生じるようになり、それにより、バルブシートの表面が摩耗による隙間ができるようになり、上記隙間によって流体の漏洩現象が生じてしまい、気密性が顕著に低下してしまう。
【０００５】
なお、ディスクをねじ型に上下に昇降させる過程において、ねじ山の摩耗やバルブのОリングなどが腐食して漏洩を引き起こすようになる。
【０００６】
従来は、バルブの漏洩が生じると、ディスクやОリング及び昇降部品の取り換えのために、バルブと連結されている管を不断水工法によって閉鎖した後、循環するように連結配管を設置してから配管を通して移動する流体及び気体を連結配管を通して分岐させた後、取り換えを行っていた。
【０００７】
しかし、従来のバルブの部品交換方式は、不断水工法によって配管に穴を空け、連結配管を設置しなければならないため、手間がかかるという問題が生じるうえ、配管を通して移動する液体及び気体を遮断する遮断装置を更に設置しなければならないため、取り換えに時間がかかるうえに取り換え費用が過度に増大するとの問題点が共存するようになる。
【０００８】
上述の発明は、本発明の属する技術分野の背景技術を意味し、従来技術を意味するものではない。
【先行技術文献】
【特許文献】
【０００９】
【特許文献１】韓国特許第１０−２０１４−０１３２１９４号公報
【発明の概要】
【発明が解決しようとする課題】
【００１０】
そこで、本発明は、上記問題に鑑みてなされたものであり、本発明の目的とするところは、配管に設置されて対象物の移動を制御するゲートバルブに固定手段を設け、ディスクが前記固定手段によって支持固定されるようにすることで、配管を遮断してディスク及び各種部品を交換することができ、配管を介して対象物が移動するようにゲートバルブを開放した状態でもディスク及び各種部品の交換が可能であるため、交換のために対象物の移動を遮断する別途の装置を設置する必要がないうえに、交換時間が短縮でき、交換費用が削減できるディスク交換構造を備えるゲートバルブを提供することにある。
【課題を解決するための手段】
【００１１】
上記課題を達成するために、本発明は、配管に設置されるゲートバルブにおいて、内部に遮断空間が形成され、前記遮断空間と連通するように一対のフランジ管が形成され、上部には前記遮断空間を閉鎖するようにカバーが締結されたバルブ本体と、前記遮断空間に昇降するように配置され、上面に内部に昇降ナットを有する締結孔が形成されたディスクと、前記カバーに設置されて前記ディスクを昇降させる作動棒とで構成され、前記カバーには貫通するように挿入口が形成され、前記挿入口には前記作動棒が回転するように設置され、前記バルブ本体には前記ディスクを支持、固定させるように固定手段が設けられ、前記ディスクには前記固定手段によって加圧固定されるように両側面または前後面に上部傾斜面と下部傾斜面とが設けられた嵌め込み溝が更に形成されたことを特徴とするディスク交換構造を備えるゲートバルブを提供する。
【００１２】
本発明に係る一実施形態において、前記ディスクには前記固定手段によって加圧固定されるように上部両側に支持傾斜面が更に形成されたことを特徴とする。
【００１３】
なお、本発明の一実施形態において、前記遮断空間の上側には内側に突出するように段差部が更に形成され、前記ディスクの上部には前記段差部を加圧して前記遮断空間の気密性を維持させる気密突部が更に形成されたことを特徴とする。
【００１４】
なお、本発明の一実施形態において、前記昇降ナットは前記締結孔の上部に配置され、前記昇降ナットにねじ締結される前記作動棒の正転によって前記ディスクが上方に移動しつつ、前記フランジ管を開放すると同時に前記作動棒は前記締結孔の下部に引き込み、前記作動棒が逆転すると、前記フランジ管を閉鎖しつつ前記ディスクが下方に移動するようになることを特徴とする。
【００１５】
なお、本発明の一実施形態において、前記固定手段は前記バルブ本体に斜線方向ないし水平方向に形成され、前記遮断空間と連通するように形成される一対の締結口と、前記締結口に嵌め込み固定され、内周縁にねじ部の形成された固定管と、前記固定管にねじ締結して回転によって前記ディスクを加圧する加圧棒からなることを特徴とする。
【発明の効果】
【００１６】
以上説明したように、本発明に係るディスク交換構造を備えるゲートバルブによれば、配管に設置されて対象物の移動を制御するゲートバルブに固定手段を設け、ディスクが前記固定手段によって支持固定されるようにすることで、配管を遮断してディスク及び各種部品を交換することができ、配管を介して対象物が移動するようにゲートバルブを開放した状態でもディスク及び各種部品の交換が可能であるため、交換のために対象物の移動を遮断する別途の装置を設置する必要がないうえに、交換時間が短縮でき、交換費用が削減できるという効果を奏する。
【図面の簡単な説明】
【００１７】
【図１】本発明に係るディスク交換構造を備えるゲートバルブを示す斜視図である。
【図２】本発明に係るディスク交換構造を備えるゲートバルブを示す断面図である。
【図３】本発明に係るディスク交換構造を備えるゲートバルブにおいて、ディスクを示す断面図である。
【図４】本発明に係るディスク交換構造を備えるゲートバルブにおいて、ディスクの上部が固定された状態を示す断面図である。
【図５】本発明に係るディスク交換構造を備えるゲートバルブにおいて、ディスクの側面が固定された状態を示す断面図である。
【図６】本発明に係るディスク交換構造を備えるゲートバルブにおいて、ディスクの上部が段差部を加圧して気密性が維持された状態を示す図である。
【図７】本発明に係るディスク交換構造を備えるゲートバルブにおいて、ディスクの交換過程を示す図である。
【図８】本発明に係るディスク交換構造を備えるゲートバルブにおいて、ディスクを示す図である。
【図９】本発明に係るディスク交換構造を備えるゲートバルブにおいて、ディスク交換装置が設置された状態を示す図である。
【発明を実施するための形態】
【００１８】
以下、本発明に係るディスク交換構造を備えるゲートバルブの好適の実施形態を添付の図面を参照して説明する。この過程で図に示された線の厚さや構成要素の大きさなどは、説明の明瞭性と便宜のために誇張して示されてよい。なお、後述の用語は、本発明における機能を考慮して定義された用語として、それは使用者、運用者の意図または慣例によって変わってよい。そのため、このような用語に対する定義は、本明細書の全般にわたる内容を基に下されるべきである。
【００１９】
なお、下記実施形態は、本発明の権利範囲を限定するものではなく、単なる例示として提示するものであって、本技術思想を通じて実現される多様な実施形態があってよい。
【００２０】
図１は、本発明に係るディスク交換構造を備えるゲートバルブを示す斜視図であり、図２は、本発明に係るディスク交換構造を備えるゲートバルブを示す断面図であり、図３は、本発明に係るディスク交換構造を備えるゲートバルブにおいて、ディスクを示す断面図であり、図４は、本発明に係るディスク交換構造を備えるゲートバルブにおいて、ディスクの上部が固定された状態を示す断面図であり、図５は、本発明に係るディスク交換構造を備えるゲートバルブにおいて、ディスクの側面が固定された状態を示す断面図であり、図６は、本発明に係るディスク交換構造を備えるゲートバルブにおいて、ディスクの上部が段差部を加圧して気密性が維持された状態を示す図であり、図７は、本発明に係るディスク交換構造を備えるゲートバルブにおいて、ディスクの交換過程を示す図であり、図８は、本発明に係るディスク交換構造を備えるゲートバルブにおいて、ディスクを示す図であり、図９は、本発明に係るディスク交換構造を備えるゲートバルブにおいて、ディスク交換装置が設置された状態を示す図である。
【００２１】
図示されているように、本発明のディスク交換構造を備えるゲートバルブ１０（以下、説明の便宜上、「ゲートバルブ」と称する）は、配管に設置され、配管を通して移動する流体または気体のような対象物の移動を制御し、遮断または移動させるゲートバルブ１０として、このようなゲートバルブ１０は、バルブ本体２０とディスク３０と作動棒４０とからなる。
【００２２】
前記バルブ本体２０は、金属または合成樹脂材料からなり、内部に遮断空間２１が形成され、前記遮断空間２１と連通するように一対のフランジ管が形成され、上部には前記遮断空間２１を閉鎖するようにカバー２３が締結される。
【００２３】
前記カバー２３は、前記バルブ本体２０の上部にねじ締結されて着脱自在に固定される。
【００２４】
前記フランジ管２２には、それぞれ前記配管が連結され、前記対象物が前記遮断空間２１を通して移動する。
【００２５】
前記カバー２３には、図２に示すように、貫通するように挿入口２３１が形成され、前記挿入口２３１には前記作動棒４０が貫通するように嵌め込まれる。
【００２６】
前記ディスク３０は、合成樹脂材料または弾性を有する合成樹脂材料からなり、前記遮断空間２１に昇降するように配置され、上面に内部に昇降ナット３２を有する締結孔３１が形成される。
【００２７】
前記昇降ナット３２は、前記締結孔３１にインサートされて固定され、前記締結孔３１に挿入された後、融着または接着されて固定される。
【００２８】
前記締結孔３１は、前記ディスク３０に貫通するように形成させた後、図２に示すように、前記締結孔３１の下段部に栓を締結することが望ましく、前記締結孔３１の下部が塞がれた構造で形成させることも可能である。
【００２９】
前記昇降ナット３２は、図２に示すように、前記締結孔３１の上部に配置されるようにすることで、前記昇降ナット３２にねじ締結される前記作動棒４０の正転によって前記ディスク３０が上方に移動しつつ、前記フランジ管２２を開放すると同時に作動棒４０は、図５に示すように、前記締結孔３１の下部に引き込まれ、前記作動棒４０が逆転するようになると、図４に示すように、前記フランジ管２２を閉鎖しつつ前記ディスク３０が下方に移動するようになる。
【００３０】
前記作動棒４０は、前記カバー２３に設置され、前記ディスク３０を昇降させるようになる。
【００３１】
前記作動棒４０は、金属からなり、前記昇降ナット３２にねじ締結されるように外面にねじ山が形成される。
【００３２】
このとき、前記作動棒４０の外周縁には環型の突起部４１を形成し、前記カバー２３には前記突起部４１が引っ掛かるように配置されると同時に、回転するように前記挿入口２３１と連通して作動溝２３２を形成させることが望ましく、前記作動溝２３２には一対のブッシングを更に設置することが望ましい。
【００３３】
別の形態としては、前記作動溝２３２には、ベアリングを配置した後、前記作動棒４０がベアリングに嵌め込まれるようにすることで、前記作動棒４０の回転によって前記ディスク３０を昇降させるようにすることも可能である。
【００３４】
ここで、前記バルブ本体２０の遮断空間２１の上側周りには内側に突出するように段差部２１１が更に形成され、前記ディスク３０の上部には前記段差部２１１を加圧して前記遮断空間の気密性を保持させる気密突部３３が更に形成される。
【００３５】
前記段差部２１１は、前記バルブ本体２０と一体として突出するように形成させることが望ましく、別の形態としては、前記遮断空間２１の上側周りに結合溝を形成して前記結合溝に固定枠をねじ締結または溶接して固定させる一方、前記固定枠の内側面が前記遮断空間２１の内側に突出するように設置することも可能である。
【００３６】
このとき、前記バルブ本体２０には前記ディスク３０を支持、固定させるように固定手段２４が設けられ、前記ディスク３０には前記固定手段２４によって加圧固定されるように上部両側に支持傾斜面３４または別の形態の支持面が更に形成される。
【００３７】
なお、前記バルブ本体２０には、前記ディスク３０を支持、固定させるように固定手段２４が設けられ、前記ディスク３０には前記固定手段２４によって加圧固定されるように両側面（場合によって、前後面）に上部傾斜面３５１と下部傾斜面３５２が設けられた嵌め込み溝３５が更に形成される。
【００３８】
前記固定手段２４は、前記バルブ本体２０に斜線方向ないし水平方向に形成され、前記遮断空間２１と連通するように形成される一対の締結口２４１と、前記締結口２４１に嵌め込まれて固定され、内周縁にねじ部の形成された固定管２４２と、前記固定管２４２にねじ締結されて回転によって前記ディスク３０を加圧する加圧棒２４３とからなる。
【００３９】
すなわち、作動棒４０が損なわれて前記ディスク３０を上げることができない場合、図４に示すように、前記固定手段２４で前記ディスク３０の上部傾斜面３５１を加圧して固定させた後、前記カバー２３と作動棒４０とを分離してからバルブ本体２０に遮断バルブとディスク３０の交換装置を設置した後、前記固定手段２４が前記ディスク３０の固定を解除してからディスクの交換装置にディスク３０を交換するようになる。
【００４０】
なお、前記作動棒４０が破損していない場合、図５に示すように、前記ディスク３０を上げて前記固定手段２４によって固定させてから対象物が流動するようにした後、上述のように、カバー２３を取り除いた後で遮断バルブとディスク３０の交換装置を設置してディスク３０を交換することで、別途に対象物を遮断していない状態でディスク３０を交換することができるようになる。
【００４１】
ここで、前記固定手段２４は、一対の締結口２４１と前記締結口２４１に設置されて前記ディスク３０を加圧するシリンダとで構成することも可能である。
【００４２】
なお、前記加圧棒４０の端部には弾性ばねを溶接して弾性ばねの端部には弾性を有する合成樹脂材料からなる弾性ブロックを融着し、前記加圧棒が前記ディスク３０方向に移動する際、前記弾性ばねと前記弾性ブロックとの弾性によってディスクを加圧して引っ掛けて固定させると同時に、前記ゲートバルブに沿って移動する対象物によってディスクが振動し、その振動が前記加圧棒に伝わることを弾性ばねと弾性ブロックとが緩衝させることで、加圧棒４０が前記固定管２４２から外れることを防止することができるようになる。
【００４３】
上記のように構成されるディスク交換構造を備えるゲートバルブのディスク交換方法の一例を説明すると、配管の移動物が移動する状態でゲートバルブ１０でディスク３０を交換する交換方法は、バルブ本体２０の遮断空間２１で上側に移動したディスク３０の嵌め込み溝３５にバルブ本体２０に設けられる固定手段２４の固定シャフトの端部に嵌め込み固定させるディスク固定段階を経てから、前記バルブ本体からカバー２３を外すカバー分離段階を経た後、前記ディスク３０から作動棒４０を分離する作動棒分離段階を経ることになる。
【００４４】
次に、前記カバー２３の分離された前記バルブ本体２０に遮断バルブを設置する遮断バルブ設置段階を経た後、前記遮断バルブ３００の上部にディスク交換装置２００を設置するディスク交換装置設置段階を経てから、前記固定手段２４の固定シャフトを嵌め込み溝３５から分離する固定解除段階を経た後、前記ディスク交換装置２００に前記ディスク３０を引き出した後、前記遮断バルブを閉鎖させるディスク分離段階と、前記遮断バルブ３００を開放させてから順次にディスク３０と作動棒４０とを締結した後、ディスク交換装置２００と遮断バルブ３００とを分離してからカバ−２３を前記バルブ本体２０に締結する仕上げの段階を経ることで、一連の過程を終えるようになる。
【００４５】
なお、配管の移動物を遮断した状態で、ゲートバルブ１０でディスク３０を交換する交換方法は、バルブ本体２０の遮断空間２１から下側に移動されたディスク３０の上側に形成される上部傾斜面３５１にバルブ本体２０に設けられる固定手段２４の固定シャフトの端部を加圧して固定させるディスク固定段階を経ることになるが、前記ディスク固定段階の後の一連の過程は、上述の過程と同様であるため、詳細な説明は省略する。
【００４６】
ここで、遮断バルブとディスク交換装置２００とは、配管の交換やバルブの部品を交換するために通常使用されるものとして、詳細な作動過程と詳細な構成は省略する。
【００４７】
以上において説明した本発明に係るディスク交換構造を備えるゲートバルブは、配管に流体及び気体が移動する過程でゲートバルブのディスクや部品を交換することができるため、配管を遮断してゲートバルブのディスクや部品を交換することに伴う過度な費用や工事期間が遅延する問題点が発生しなくなる。
【００４８】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００４９】
１０    ゲートバルブ
２０    バルブ本体
３０    ディスク
４０    作動棒
２１    遮断空間
２１１  段差部
２２    フランジ管
２３    カバー
２３１  挿入口
２３２  作動溝
２４    固定手段
２４１  締結口
２４２  固定管
２４３  加圧棒
３１    締結孔
３２    昇降ナット
３３    気密突部
３４    支持傾斜面
３５    嵌め込み溝
３５１  上部傾斜面
３５２  下部傾斜面
４１    突起部
【図１】
2019504258.tif 000003
【図２】
2019504258.tif 000004
【図３】
2019504258.tif 000005
【図４】
2019504258.tif 000006
【図５】
2019504258.tif 000007
【図６】
2019504258.tif 000008
【図７】
2019504258.tif 000009
【図８】
2019504258.tif 000010
【図９】
2019504258.tif 000011
【国際調査報告】
2019504258.tif 000012
2019504258.tif 000013
2019504258.tif 000014
2019504258.tif 000015